(57)【要約】【課題】  団扇本体を扇ぐことに伴ってキャラクターの一部を形成する団扇本体の縁面部に別の動きを付与することでキャラクターに応じた動作的な面白さを倍増する。【解決手段】  団扇本体２の縁面側の一部に切り込みＱを入れるか、あるいは縁面側の一部を代替するかして成り、団扇本体２に描いたキャラクターＰの一部分を構成するものとした揺動小片５を有するものとする。キャラクターＰは、団扇本体２の面内に描いた例えば招き猫であり、縁面側の一部となる揺動小片５は、招き猫の手の形態を呈するものとし、揺動小片５の先端には重錘４を付設する。【選択図】      図１
2005081054.tif 000002
【特許請求の範囲】
【請求項１】
団扇本体の縁面側の一部に切り込みを入れるか、あるいは縁面側の一部を代替させるかして成る揺動小片を有することを特徴とした団扇。
【請求項２】
揺動小片は、団扇本体に描かれたキャラクターの一部分を構成するものとした請求項１記載の団扇。
【請求項３】
キャラクターは、団扇本体の面内に描かれた招き猫であり、縁面側の一部となる揺動小片は、招き猫の手の形態を呈するものとした請求項２記載の団扇。
【請求項４】
団扇本体は、その外形が招き猫等のキャラクターによる形態を有し、前記揺動小片は、招き猫の手であるものとした請求項１乃至３のいずれか記載の団扇。
【請求項５】
揺動小片は、その先端に重錘を付設したり、団扇本体の比重より大きくしたりして成る請求項１乃至４のいずれか記載の団扇。
【発明の詳細な説明】
【技術分野】
【０００１】
本発明は、涼をとるために使用される以外に例えば宣伝広告媒体、玩具等としても使用されるものであって、扇ぐのに伴って団扇本体に対して別の動きを付与することが可能な、例えば揺動する揺動小片を備えた団扇に関するものである。
【背景技術】
【０００２】
従来、風をおこして涼をとるための道具である団扇において、人を招き商売繁盛を祈ったり、人に幸福や金運を招くなどの夢を与えたりするものとするため、団扇本体の外形を招き猫の形状にし、その表裏にそれぞれ右手を上げた状態の招き猫、左れ手を上げた状態の招き猫を表示したものが提案されている（特許文献１参照）。
【０００３】
また、団扇本体の所定位置に小さな長孔を設け、この長孔に小片を係止させた状態で差し込んで揺動可能とし、団扇本体を揺動した際に、小片がバタバタと発音しながら揺動するようにしたものも提案されている（特許文献２参照）。
【特許文献１】登録実用新案第３０７０５５５号公報
【特許文献２】特開平８−２５２１０８号公報
【発明の開示】
【発明が解決しようとする課題】
【０００４】
しかしながら、従来の団扇は特許文献１の場合では、その外形を招き猫の形状としただけのものである以外は何等の動きが無いため、面白みにかけることからすぐに飽きられてしまうものであった。また、特許文献２の場合では、団扇本体の所定位置に設けられた小さな長孔に係止させて揺動可能にした小片によって、団扇自体に動きを付与したものではあっても、団扇本体に対して別に形成された小片自体を単に長孔に係止させてあるだけで剛性を有するものではないため、その係止箇所が軟弱なものであり、何回かの揺動によって小片自体が団扇本体から折れ下がったりあるいは脱落してしまったりする等の欠点を有しているものである。
【０００５】
そこで本発明は叙上のような従来存した諸事情に鑑み創出されたもので、扇ぐ動作に伴ってキャラクターの一部を形成する団扇本体の縁面部に団扇本体とは別の動き例えば揺動する動作を付与させることで、キャラクターに応じた動作的な面白さを倍増させることができ、しかも揺動する縁面部自体が折れ下がったりあるいは脱落してしまう等のことがないものとできる団扇を提供することを目的とする。
【課題を解決するための手段】
【０００６】
上述した課題を解決するため、本発明にあっては、団扇本体２の縁面側の一部に切り込みＱを入れるか、あるいは縁面側の一部を代替させるかして成る揺動小片５を有するものである。
揺動小片５は、団扇本体２に描かれたキャラクターＰの一部分を構成するものとして形成できる。
キャラクターＰは、団扇本体２の面内に描かれた招き猫であり、縁面側の一部となる揺動小片５は、招き猫の手の形態を呈するものとすることができる。
団扇本体２は、その外形が招き猫等のキャラクターＰによる形態を有し、前記揺動小片５は、招き猫の手であるものとして構成することができる。
揺動小片５は、その先端に重錘４を付設したり、団扇本体２の比重よりも大きくしたりして成るものとできる。
【０００７】
以上のように構成された本発明に係る団扇にあって、キャラクターＰとしての招き猫の手の形態を有する揺動小片５は、団扇本体２を扇ぐ動作に伴い、招き猫の腕の付け根部分を基点にして前後に揺動される。このとき揺動小片５は重錘４を付設したり、団扇本体２より比重が大きくされたりして慣性を大きくして成るため、団扇本体２を扇ぐことに伴って当該団扇本体２に対して揺動小片５がゆっくりとした周期で揺動し、招き猫の手が実際に手招きをしているかの動作を付与させる。
【発明の効果】
【０００８】
以上のように構成された本発明に係る団扇１は、団扇本体２を扇ぐことに伴ってキャラクターＰの一部を形成する団扇本体２の縁面部に動きを付与させることで、キャラクターＰに応じた動作によって面白さを倍増させることができ、しかも扇ぐ際に縁面部自体が折れ下がったりあるいは脱落してしまう等のことがないのである。
【０００９】
すなわちこれは本発明が、団扇本体２の縁面側の一部に切り込みＱを入れるか、あるいは縁面側の一部を代替させるかして成る揺動小片５を有するものとしたからであり、これにより扇がれる団扇本体２の動作とは別の動作的な面白さを揺動小片５に付与させることができる。
【００１０】
揺動小片５は、団扇本体２に描かれたキャラクターＰの一部分を構成するものとしたので、団扇本体２を扇ぐことに伴ってキャラクターＰに応じた動作的な面白さを付与させることができる。
【００１１】
キャラクターＰは、団扇本体２の面内に描かれた招き猫であり、縁面側の一部となる揺動小片５は、招き猫の手の形態を呈するものとしたので、招き猫が描かれている団扇本体２を扇ぐことに伴って招き猫の手が実際に手招きをしているかの動作を付与させることができる。
【００１２】
団扇本体２は、その外形が招き猫等のキャラクターＰによる形態を有し、揺動小片５は、招き猫の手であるものとして構成したので、招き猫の形態を呈する団扇本体２を扇ぐことに伴って招き猫の手が実際に手招きをしているかの動作を付与させることができる。
【００１３】
揺動小片５は、その先端に重錘４を付設したり、団扇本体２より比重が大きくしたりして成るので、揺動小片５自体の慣性が大きくなり、このため団扇本体２を扇ぐことに伴って当該団扇本体２に対して揺動小片５をゆっくりとした周期で揺動させることができ、扇がれる団扇本体２の動作とは別の動作的な面白さを容易に付与させることができる。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１５】
以下図面を参照して本発明を実施するための最良の一形態を説明すると、図において示される符号１は、風をおこして例えば涼をとるための道具として使用したり、この他、例えば宣伝広告媒体、玩具等として使用したりする団扇である。この団扇１は、例えば紙製、木製、プラスチック製等から成る団扇本体２と、例えば木製、プラスチック製等から成る長尺状の把持部３とから成り、団扇本体２自体は、基部から放射状に配列された例えばプラスチック製、竹材製等の骨組材２Ａの表裏両面あるいは表面に薄肉シート状の紙片を貼着したり、適宜肉厚の紙製、プラスチック製等の薄肉シート材自体であったりするもので、従来から提供されているものと基本的に異なるものではない。
【００１６】
また、団扇本体２の縁面側の一部には、作製時において切り込みＱを入れ、その先端には例えば金属製・プラスチック製・紙製・木製等の薄板状の重錘４を固着する等（図３乃至図５参照）によって設けて成る揺動小片５を形成してある。このとき揺動小片５自体を金属製以外のプラスチック製・紙製・木製等のものとすることもでき、その場合にはその部分を肉厚に形成して実質的に重くなるようにし、団扇本体２に比しその比重が大きくなるようにする。また、例えばプラスチック製の骨組材２Ａのうち、揺動小片５に相当する骨組材２Ａの先端部分を重くして重錘４とすることもできる。また、この重錘４自体は例えば図１、図２に示すように揺動小片５の先端部分に、例えば二つ折りされた手形状の紙製のものとして揺動小片５の先端部分に表裏から挟むようにして接着することで形成することもできる。そしてこの揺動小片５自体は、団扇本体２自体あるいは団扇本体２に描かれたキャラクターＰの一部分を構成するものとしてある。
【００１７】
揺動小片５の他の構成としては、例えば図５に示すように、団扇本体２の縁面側の一部を代替させることで揺動小片５が形成されるものとしてある。すなわち、団扇本体２の縁面側の一部に、例えば略Ｌ字状の切欠部Ｒを、作製時における一体成形加工、もしくは作製後の切断加工等によって形成しておき、ここに揺動小片５の一端を切欠部Ｒの左右方向に沿う略水平な一部辺側と略面一状となるようにして両面側から例えば粘着テープ７等でもって接合することで、団扇本体２を扇ぐのに伴って当該団扇本体２の縁面側に別の動きを付与するものとしてある。尚、揺動小片５の先端には、重量を更に増加させるために例えば金属製・プラスチック製・紙製・木製等の重錘４を付設してあっても良い。尚、揺動小片５を貼着するために団扇本体２の縁面側に形成した略Ｌ字状の切欠部Ｒの替わりに、例えば凹部、段差部等としても良く、また、この揺動小片５自体は団扇本体２から突出配置されたり、団扇本体２と共に全体として円形、矩形、丸みを帯びた長方形、台形その他の形状のものとされたりしても良い。
【００１８】
キャラクターＰの具体的な構成としては、図１に示すように、団扇本体２の表裏面内にキャラクターＰとしての例えば一方の手を上げた招き猫の絵柄が描かれており、例えば団扇本体２の表裏面それぞれで右手を上げた状態の招き猫と、左手を上げた状態の招き猫とが表示されるようにしてある。尚、図１には、右手を上げた状態の招き猫を表示した表側のみが示され、裏側を省略されている。
【００１９】
そして、団扇本体２の縁面側に描かれている上げた状態の手と、団扇本体２内側に描かれている招き猫の頭部との接合箇所に、腕の付け根部分までにわたって切り込みＱを入れるか、あるいは作製時における一体成形加工もしくは作製後の切断加工等によって形成された切欠部Ｒに、表裏面に上げた手を描いた揺動小片５を団扇本体２と略面一状となるようにして両面側から例えば粘着テープ７等でもって貼着するかしてから、揺動小片５の上げた手の先端側に位置した箇所に重錘４を付設することで、招き猫の手の形態を呈する縁面側の一部が猫の頭部から独立した揺動小片５となるように形成してある。
【００２０】
尚、本実施の最良の形態においては、団扇本体２の下端に把持部３を突出状に設けた構成としているが、これに限らず、例えば図３に示すように、把持部３の替わりとして、団扇本体２の面内下側に例えば親指挿入用の孔部６を設け、この孔部６に親指を挿入して扇ぐことができるように用いるものとしても良い。
【００２１】
次に、上記した構成による団扇の使用、動作について説明すると、図１に示すように、把持部３を手で持って団扇本体２を例えば身体等に向けて扇ぐと、キャラクターＰとしての招き猫の手の形態を有する揺動小片５は招き猫の腕の付け根部分を基点にして前後に揺動する。このとき上げた手の先端側位置に重錘４を付設してある揺動小片５は、図２に示すように、慣性が大きいため、団扇本体２を扇ぐことに伴い当該団扇本体２に対してゆっくりとした周期で揺動し、縁起物としての招き猫の手が実際にゆっくりと手招きをしているかの如く、団扇本体２とは別の動作となるのである。
【００２２】
図４には本発明を実施するための他の形態が示されている。すなわち本形態においては、団扇本体２の外形自体を例えば招き猫等のキャラクターＰによる形態となるように、例えば打ち抜き成型等によって形成し、前記揺動小片５は、切り込みＱによって形成された招き猫の一方の手であるものとして構成してある。尚、このような場合においても、切り込みＱを入れる替わりに、団扇本体２の縁面側の一部に切欠部Ｒを、作製時における一体成形加工、もしくは作製後の切断加工等によって形成しておき、ここに揺動小片５の一端を団扇本体２と略面一状となるようにして両面側から粘着テープ７等でもって貼着するようにしても良いことは勿論である。
【産業上の利用可能性】
【００２３】
本実施の最良の形態においては、団扇１を基本にして形成されているが、これ以外に、例えば重錘４を先端に付設して成る揺動小片５を有する広告を例えば吸盤もしくは両面粘着テープ等で固定できるようにし、これを例えば電車等の車両内の宣伝媒体として使用することができる。あるいは広告が配置される箇所もしくは他の広告面に対して、団扇本体２に重錘４を先端に付設した揺動小片５を有して成る団扇１を例えば吸盤もしくは両面粘着テープ等で固定して使用することもできる。
【図面の簡単な説明】
【００２４】
【図１】本発明を実施するための最良の一形態を示す使用状態の斜視図である。
【図２】同じく使用状態の縦断面図である。
【図３】同じく他例における使用状態の斜視図である。
【図４】本発明を実施するための最良の形態の他例を示す使用状態の斜視図である。
【図５】本発明を実施するための最良の形態の更に他例を示す使用状態の斜視図である。
【符号の説明】
【００２５】
Ｐ…キャラクター                        Ｑ…切り込み
Ｒ…切欠部
１…団扇                                ２…団扇本体
２Ａ…骨組材                            ３…把持部
４…重錘                                ５…揺動小片
６…孔部                                ７…粘着テープ
【図１】
2005081054.tif 000003
【図２】
2005081054.tif 000004
【図３】
2005081054.tif 000005
【図４】
2005081054.tif 000006
【図５】
2005081054.tif 000007